(57)【要約】      （修正有）【課題】コンパクトで携帯に便利で使いやすく、耐久性も考慮した折りたたみ式携帯用ミニコップを提供する。【解決手段】底面が円形であって内面を耐水加工した紙製コップの高さｈが底面円形の半径ｒの１．１乃至１．３倍であって、折りたたんで保管・携帯するための折り目１４を有し、折り目１４に沿って折りたたんだ状態で保管・携帯し、使用するときに折りたたみを解いて水を入れて使用するようにして、折りたたみ式携帯用ミニコップを構成する。さらに、折りたたみ式携帯用ミニコップの形状は底面が円形の他、矩形のミニコップもあり、素材は耐水加工紙の他プラスチックまたはアルミ箔も可能である。【選択図】図２
0003156972.tif 000002
【実用新案登録請求の範囲】
【請求項１】
底面が円形であって内面を耐水加工した紙製コップの高さｈが底面円形の半径ｒの１．１乃至１．３倍であって、折りたたんで保管・携帯するための折り目１４を有し、折り目１４に沿って折りたたんだ状態で保管・携帯し、使用するときに折りたたみを解いて水を入れて使用する折りたたみ式携帯用ミニコップ。
【請求項２】
底面が矩形であって内面を耐水加工した紙製コップにおいて、相対する壁面に折り目１５を有し、短い辺の長さｌ１の辺に対応する壁面に折り目１５を入れる場合は高さｈが短い辺の長さｌ１と略等しい高さとし、長い辺の長さｌ２の辺に対応する壁面に折り目１５を入れる場合は短い辺の長さｌ１に等しいか若しくはｌ１より大きくかつ高さｈが長い辺の長さｌ２と略等しいか若しくは小さい高さである折りたたみ式携帯用ミニコップ。
【請求項３】
材料がプラスチック又はアルミニウム箔からなる請求項１又は請求項２記載の折りたたみ式携帯用ミニコップ。
【考案の詳細な説明】
【技術分野】
【０００１】  本考案は、外出先で利用するのに便利な携帯用の、耐水加工紙製、プラスチック製、またはアルミニウム箔（以下アルミ箔と呼ぶ）製のコップに関する。
【背景技術】
【０００２】  外出先で、歯磨き、うがい、服薬など水を使う機会は多く、コップがあればよいと思うことはよくある。携帯用コップとしては折りたたみ式紙コップがある（例えば、実開平５−８４２６４号、実用新案登録番号第３１１２６９７号）。また、うがい薬の付属品としての折りたたみ式紙コップがある（例えば、実用新案登録番号第３０２４６４３号）。
【考案の開示】
【考案が解決しようとする課題】
【０００３】  これらには次のような欠点があった。
実開平５−８４２６４号によれば、紙コップを折りたたんで携帯用としているが、折りたたんだときに、円形又は四角の底面の大きさの１．５〜２倍の大きさとなり、例えば、胸ポケットに入れて携帯するには抵抗がある。また、実用新案登録番号第３１１２６９７号による紙コップは耐水性に欠けるため、繰り返し使用には不向きであった。一方実用新案登録番号第３０２４６４３号によれば、携帯性は優れるが、紙コップ自身が自立できないため、水を入れて状態でテーブル上に置けないという不具合がある。
本考案は、これらの欠点を除き、コンパクトで携帯に便利で使いやすく、耐久性も考慮した折りたたみ式携帯用ミニコップを提供するものである。
【課題を解決するための手段】
【０００４】  上記の目的を達成するため、本考案の折りたたみ式携帯用ミニコップは、底面が円形の場合は高さｈを半径ｒの略１．２倍の高さ、底面が矩形の場合は高さｈを短い辺の長さｌ１と略同じ高さとし、折りたたんだときの大きさが、円形又は矩形の底面の大きさと略同程度以下となるようにする。
【考案の効果】
【０００５】  本考案の折りたたみ式携帯用ミニコップは、高さを工夫したため、折りたたんだとき、底面の大きさからのはみ出しが小さく携帯に便利である。折りたたんだミニコップを、例えば、ビニール袋に詰めれば、外出のときハンドバッグや胸ポケットに入れても邪魔にはならない。
本考案の折りたたみ式携帯用ミニコップは耐水加工紙を使用しているため、旅先などでお酒のお猪口としても使用が可能である。
【考案を実施するための最良の形態】
【０００６】  図１は本考案による円形底面の折りたたみ式携帯用ミニコップの使用状態の斜視図を示し、図１（ｂ）はその断面を示す。図２は本考案のコップの折りたたみ順と折り目及び折りたたんだ状態を示す斜視図である。図３は本考案による矩形底面の折りたたみ式携帯用ミニコップの例を示す。
【実施例１】
【０００７】  本考案による紙コップの底面が円形の場合の実施例を図１、図２において説明する。図１（ａ）は本考案によるコップの使用状態を示す斜視図である。図１（ｂ）は図１（ａ）のＡ−Ａ断面図を示す。本考案によるコップの特徴は、コップの高さを円形底部の半径の略１．２倍としたところにある。底部の半径をｒ、高さをｈとしたとき、ｈ≒１．２ｒである。図２（ａ）は折り目に従い折りたたむ順を示した斜視図である。図２（ｂ）は折りたたみ順１及び２まで折りたたんだ状態を示す。折りたたみ順３及び４まで折りたたんだ状態を図２（ｃ）に示す。この状態で、例えばビニール袋詰めにすれば、バッグや胸ポケットに入れて外出できる。外出先で使用するときは、図２（ｃ）の状態から、折りたたみ順とは逆の順で折りたたみを解いて、図１（ａ）の状態にし、うがいや歯磨きなどのときに水を入れて使用できる。
【実施例２】
【０００８】  本考案による紙コップの底面が矩形の場合の実施例を図３において説明する。図３（ａ）は本考案による底面が矩形である折りたたみ式携帯用ミニコップの使用状態を示す斜視図である。図３（ｂ）は折り目に従い折りたたむ途中の段階を示す斜視図であり、図３（ｃ）は折りたたんだ状態を示す。本考案によるコップの特徴は、コップの高さによって折り目１５、１５’を設ける面を違えたころにある。
具体的には、コップの高さｈが短い辺の長さｌ１と略等しいときは短い辺に対応する壁面に折り目１５、１５’を設け、コップの高さｈが短い辺の長さｌ１より大きく長い辺の長さｌ２よりも小さいときは長い辺に対応する壁面に折り目１５、１５’を設けたことにより、折りたたんだ状態の大きさは略コップの底面の大きさの範囲内に納まる。ｌ１とｌ２が等しい場合は底面は正方形である。【０００９】  本考案による折りたたみ式携帯用ミニコップは底面の大きさに応じた高さとしていることにより、折りたたんだ状態で、ほぼ底面の大きさに納まりコンパクトであるため、例えばビニール袋詰めにすれば、ハンドバッグや胸ポケットに入れて外出できる。
本考案による折りたたみ式携帯用ミニコップの材料は紙コップに限らず、プラスチックまたはアルミ箔コップでもよい。また、底面が円形の場合のカールは必要に応じて設けるものであり、カールのないコップもある。また、底面が矩形形の場合の折り返しは必要に応じて設けるものであり、折り返しのないコップもある。
【図面の簡単な説明】
【００１０】
【図１】（ａ）本考案によるコップの使用状態を示す斜視図（ｂ）図１（ａ）のＡ−Ａ断面図
【図２】（ａ）本考案によるコップの折りたたみ順を示す斜視図（ｂ）折りたたみ順２まで折りたたんだコップの斜視図（ｃ）最後まで折りたたんだコップの斜視図
【図３】（ａ）本考案による底面が矩形のコップの使用状態を示す斜視図（ｂ）折りたたみの途中段階を示す斜視図（ｃ）最後まで折りたたんだ状態のコップの斜視図
【符号の説明】
【００１１】１    折りたたみ順１
２    折りたたみ順２
３    折りたたみ順３
４    折りたたみ順４
１０  底面が円形の折りたたみ式携帯用ミニコップ
１１  周壁面
１１’  周壁内面
１２  底面
１３  カール
１４、１５、１６  折り目（谷折り）
１４’、１５’  折り目（山折り）
２０  底面が矩形の折りたたみ式携帯用ミニコップ
２１  矩形底面の辺に対応する壁面
２２  折り返し
【図１】
0003156972.tif 000003
【図２】
0003156972.tif 000004
【図３】
0003156972.tif 000005